(57)【要約】      （修正有）【課題】軸筒の先端開口部より出没させるノック式筆記具において、ノック体のノック操作時における回転カムにより発生するノック音を低減したノック式筆記具を提供する。【解決手段】カム溝が、前後方向に延びる第一カム壁と、第一カム壁の側方に連設されカム突起が摺接する第一カム傾斜面と、第一カム傾斜面の側方に連設されカム突起が当接する当接面と、当接面の側方に連設されカム突起が摺接する第二カム傾斜面と、第二カム傾斜面の側方に連設されカム突起が摺接し第一カム壁と共に前後方向に延びる第二カム壁と、第一カム壁と第二カム壁との隙間となる縦溝とを有し、第一カム傾斜面と当接面との連設部に、バネの弾発力により第一カム傾斜面を摺動するカム突起の速度を減速させる抵抗部を設けたことを特徴とするノック式筆記具。【選択図】図１
2019010827.tif 000002
【特許請求の範囲】
【請求項１】
軸筒内に、前後方向に延びるカム溝と、前記カム溝に係合する突起を周側部に有し、凹凸部を先端に有し、前記カム溝に沿って前後に移動可能に設けた固定カムと、後端に前記固定カムの凹凸部に噛み合う噛合部が設けられ前記カム溝に係合するカム突起を周側部に有し、前端で筆記体の後端部に連接し、後端で前記固定カムに連接しカム溝に沿って前後に移動可能に設けた回転カムと、前記固定カムを押圧するためのノック体で構成されたノック式繰出機構とを備え、前記ノック体をノック操作することにより、軸筒内に配したバネの弾発力により後方へ付勢された筆記体の筆記先端部を、軸筒の先端開口部より出没させる構造のノック式筆記具であって、前記カム溝が、前後方向に延びる第一カム壁と、該第一カム壁の側方に連設され前記カム突起が摺接する第一カム傾斜面と、前記第一カム傾斜面の側方に連設され前記カム突起が当接する当接面と、前記当接面の側方に連設され前記カム突起が摺接する第二カム傾斜面と、前記第二カム傾斜面の側方に連設され前記カム突起が摺接し前記第一カム壁と共に前後方向に延びる第二カム壁と、前記第一カム壁と前記第二カム壁との隙間となる縦溝とを有し、前記第一カム傾斜面と前記当接面との連設部に、前記バネの弾発力により前記第一カム傾斜面を摺動する前記カム突起の速度を減速させる抵抗部を設けたことを特徴とするノック式筆記具。
【請求項２】
前記抵抗部が、一端部が前記第一カム傾斜面に連設され他端部が前記当接面に連設された円弧であることを特徴とする請求項１に記載のノック式筆記具。
【発明の詳細な説明】
【技術分野】
【０００１】
本発明は、カム溝と、固定カムと、回転カムおよびノック体とで構成されたノック式繰出機構を有したノック式筆記具に関する。
【背景技術】
【０００２】
従来より、軸筒内に設けられたカム溝と、カム溝に係合する突起を周側部に有し、凹凸部を先端に有し、カム溝に沿って前後に移動可能に設けた固定カムと、カム溝に係合するカム突起を周側部に有し、固定カムの凹凸部に噛合う噛合部を有し、前端で筆記体の後端部に直接的または間接的に連接し、後端で固定カムに連接しカム溝に沿って前後に移動可能に設けた回転カムと、固定カムを押圧するためのノック体とで構成されたノック式繰出機構を備え、ノック体をノック操作することにより、軸筒内に配したバネにより後方へ付勢された筆記体の筆記先端部を軸筒の先端開口部より出没させる構造のノック式筆記具は知られている。
こうしたノック式筆記具においては、ノック体を押圧すると、ノック体に押圧された固定カムは、固定カムに設けた突起がカム溝に係合しているので回転することなく前進し、固定カムにより押圧された前記回転カムも、回転カムに設けたカム突起がカム溝に係合しているので、回転することなく前進する。
この際、回転カムに当接した筆記体も連動して前進し、筆記先端部が軸筒の先端開口部から突出される。
回転カムに設けたカム突起がカム溝の先端に来ると、回転カムが回転してカム突起がカム溝の係止部に係止し、回転カムの後退は抑制されるので、ノック体の押圧をやめても筆記先端部は軸筒の先端開口部から突出した状態を維持する。
筆記先端部を軸筒内に没入させるには、再度ノック体を押圧して回転カムを前進させることにより、回転カムは回転してカム溝の係止部との係止を解除する。
それにより、回転カムおよび固定カムはバネにより後端側へ付勢された筆記体を介して後方へ押圧されるので後退し、筆記体も後退して筆記先端部は軸筒内に没入する。
【０００３】
しかし、こうしたノック式筆記具においては、筆記体の筆記先端部を軸筒の先端開口部から突出させるためのノック操作時や、筆記体の筆記先端部を軸筒内に没入させるためのノック操作時において、カム溝に回転カムが衝突することによる衝撃音が発生していた。
ここで衝撃音の発生する機構について、図７及び図８を用いて簡単に説明する。
図７は、従来のノック式筆記具のペン先部突出動作時における、カム溝と固定カムと回転カムとの位置関係を示すカム部展開概念図であり、図８は、従来のノック式筆記具のペン先部没入動作時における、カム溝と固定カムと回転カムとの位置関係を示すカム部展開概念図である。
図７及び図８においては、上方（ノック体側）を後方と表現し、下方（ペン先部側）を前方と表現する。
【０００４】
図７（ａ）は、従来のノック式筆記具において、ペン先部が軸筒内に没入された収納状態における、カム溝と固定カムと回転カムとの位置関係を示しており、固定カムの突起４２が、カム溝の第一カム壁２２と第二カム壁２３との隙間となる縦溝２１の後方に位置した状態である。
この状態からノック体（図示せず）を前方に押圧すると、ノック体と一体になった固定カムは縦溝２１に係合した突起４２に導かれて回転することなく前進し、固定カムにより押圧された回転カムは縦溝２１に係合したカム突起５１に導かれて同じように回転することなく前進する（図７（ｂ）ノック時１参照）。
回転カムのカム突起５１が縦溝２１の先端に達して該縦溝２１から離脱すると（図７（ｃ）ノック時２参照）、固定カムの凹凸部４１の頂部４１ａは、カム突起５１の後端に形成された図において左上がりの噛合部５２の傾斜面５２ａの中間部に位置しており、回転カムが軸筒内に配したバネ（図示せず）により後方へ付勢されたレフィル（図示せず）の後端部と当接していることから、当該回転カムは後方へ後退しようとして、図における左側へ回転する（図７（ｄ）ノック時３参照）。
回転カムのカム突起５１は、図において左上がりの第一カム傾斜面２４の表面を摺動し、該第一カム斜面２４と当該第一カム斜面２４に連設され軸心に沿った方向に形成された当接面２５とで構成された係止部２６に係止され筆記状態となる（図７（ｅ）筆記状態参照）。
この際、カム突起５１は前記バネの弾発力にて第一カム傾斜面２４を摺動した後に当接面２５に衝接し、大きな衝撃音が発生する。
【０００５】
図８（ａ）は、従来のノック式筆記具において、ペン先部が突出した筆記状態における、カム溝と固定カムと回転カムとの位置関係を示しており、固定カムの前端が回転カムのカム突起５１に当接した状態である。
この状態からノック体（図示せず）を前方に押圧すると、ノック体と一体になった固定カムはカム溝２１に係合した突起４２に導かれて回転することなく前進し、固定カムにより押圧された回転カムは係止部２６の当接面２５に係合したカム突起５１に導かれて同じように回転することなく前進する。
カム突起５１が当接面２５の先端に達して係止部２６から離脱すると（図８（ｂ）リターン時１参照）、固定カムの凹凸部４１の頂部４１ａは、カム突起５１の後端に形成された図において左上がりの噛合部５２の傾斜面５２ａの中間部に位置しており、回転カムはバネ（図示せず）により後方へ付勢されたレフィル（図示せず）の後端部と当接しているので、回転カムは後方へ後退しようとして、図における左側へ回転する（図８（ｃ）リターン時２参照）。
回転カムのカム突起５１は、図において左上がりの第二カム傾斜面２７の表面を摺動し、縦溝２１に入り（図８（ｄ）リターン時３参照）、その後、回転カムのカム突起５１は縦溝２１の後方に後退する（図８（ｅ）収納状態参照）。
【０００６】
前記ノック式筆記具のペン先部突出動作時に発生する衝撃音は、ノック音とも呼ばれ、使用者自身にとって筆記体の出没状態を確認する意味もあり、必ずしも不快なものではないが、例えば会議中等の僅かな音でも響く環境下においては、そのノック音が気になる場合がある。
また高価格な筆記具に至っては、大きいノック音は高級感を損ねるという問題がある。
【０００７】
そこで、ノック音を低減するために、筆記体を後方へ付勢するバネの弾発力を低減することで、カム溝の当接面に回転カムのカム突起が衝接する勢いを和らげることも考えられるが、そうすると、使用者がノック式筆記具をポケットに挿着した状態でノック体に触れただけで、筆記体の筆記先端部が軸筒の先端開口部から突出してしまい、筆記先端部がポケットなどの布地に接触して衣類などをインキで汚してしまうおそれがある。
【０００８】
なお、特許文献１（特開２００９−２５５４２６号）では、回転カムと筆記体の後端部との間に回転抑制部材を介在させて、ノック操作時の回転カムの回転の際の回転力や回転スピードを弱めたことを特徴としたノック式筆記具が開示されている。
【０００９】
また、特許文献２（特開２００９−２５５４２７号公報）では、回転カムと筆記体との間に、少なくとも一部が軸筒の内壁面に当接するように回転抑制部材を介在し、および／または筆記体の周側面に、少なくとも一部が軸筒の内壁面に当接するように回転抑制部材を設けて、ノック操作時の回転カムの回転力や回転スピードを弱めたことを特徴とするノック式筆記具が開示されている。
【００１０】
また、特許文献３（特開２００９−２９２０７０号公報）では、回転カムの後端に、ノック体内に位置する軸部を設けるとともに、ノック体の内壁面と軸部の外表面との間に、回転抑制部材を、ノック体の内壁面と軸部の外表面の両方に当接するように配設し、ノック操作時における回転カムの回転力や回転速度を弱めたことを特徴とするノック式筆記具が開示されている。
【００１１】
しかしながら、上記特許文献１〜３の構造では、ノック操作時において、回転カムの回転力や回転速度が回転抑制部材により常に弱められることになるため、筆記体の筆記先端部を軸筒の先端開口部から突出させるためのノック操作を行った場合に、本来は回転カムが回転して回転カムのカム突起がカム溝の係止部に係止し、筆記先端部が軸筒の先端開口部から突出した状態が維持されるところを、回転カムが回転しきれずに、カム突起が係止部に係止されず、結果筆記先端部の突出状態が維持できないという問題が生じるおそれがあった。
また、筆記体の筆記先端部を軸筒内に没入させるためのノック操作を行った場合にも、同様に筆記先端部を軸筒内に没入させることができなくなるおそれがあった。
さらに、前記特許文献１〜３の構造では、部品点数が多くなり構造が複雑になってしまうという問題があった。
【先行技術文献】
【特許文献】
【００１２】
【特許文献１】特開２００９−２５５４２６号公報
【特許文献２】特開２００９−２５５４２７号公報
【特許文献３】特開２００９−２９２０７０号公報
【発明の概要】
【発明が解決しようとする課題】
【００１３】
本発明は、上記問題を鑑みて、簡単な構造で、筆記体の筆記先端部を軸筒の先端開口部から突出させるためのノック操作時におけるノック音を低減することが可能なノック式筆記具を得ることを課題とする。
【課題を解決するための手段】
【００１４】
本発明は、
「１．軸筒内に、前後方向に延びるカム溝と、前記カム溝に係合する突起を周側部に有し、凹凸部を先端に有し、前記カム溝に沿って前後に移動可能に設けた固定カムと、後端に前記固定カムの凹凸部に噛み合う噛合部が設けられ前記カム溝に係合するカム突起を周側部に有し、前端で筆記体の後端部に連接し、後端で前記固定カムに連接しカム溝に沿って前後に移動可能に設けた回転カムと、前記固定カムを押圧するためのノック体で構成されたノック式繰出機構とを備え、前記ノック体をノック操作することにより、軸筒内に配したバネの弾発力により後方へ付勢された筆記体の筆記先端部を、軸筒の先端開口部より出没させる構造のノック式筆記具であって、前記カム溝が、前後方向に延びる第一カム壁と、前記第一カム壁の側方に連設され前記カム突起が摺接する第一カム傾斜面と、前記第一カム傾斜面の側方に連設され前記カム突起が当接する当接面と、前記当接面の側方に連設され前記カム突起が摺接する第二カム傾斜面と、前記第二カム傾斜面の側方に連設され前記カム突起が摺接し前記第一カム壁と共に前後方向に延びる第二カム壁と、前記第一カム壁と前記第二カム壁との隙間となる縦溝とを有し、前記第一カム傾斜面と前記当接面との連設部に、前記バネの弾発力により前記第一カム傾斜面を摺動する前記カム突起の速度を減速させる抵抗部を設けたことを特徴とするノック式筆記具。
２．前記抵抗部が、一端部が前記第一カム傾斜面に連設され他端部が前記当接面に連設された円弧であることを特徴とする前記１項に記載のノック式筆記具。」である。
【００１５】
本発明によれば、筆記体の筆記先端部を軸筒の先端開口部から突出させるためのノック操作時において、バネの弾発力により第一カム斜面を摺動するカム突起の速度を減速させることで、カム溝の当接面に回転カムのカム突起が衝接する際のノック音を小さくすることが可能となる。
【００１６】
前記第一カム傾斜面と前記当接面との連設部に設ける抵抗部は、円弧状に形成したり、第一カム傾斜面の角度を傾斜面の途中から水平（軸心に対して直交する方向）に形成し、その先を当接面の前方側に向かって傾斜するよう形成したり、あるいは前記水平面を形成せずに第一カム斜面の途中から当接面の前方へ向かって傾斜するよう形成することにより設けられる。
また、第一カム傾斜面にカム突起の摺動に抵抗を与える微小な凸部を設けたり、第一カム傾斜面の表面を粗面加工して抵抗部を設けることも可能である。
この抵抗部によれば、バネの弾発力により前記第一傾斜面を摺動する前記カム突起の速度が減速され、当接面に対して回転カムのカム突起が衝接することによって生じるノック音を小さくすることが可能となる。
【００１７】
本発明におけるノック式筆記具は、前記のようにカム溝、固定カム、回転カムおよびノック体とで構成されたものであるが、固定カムは、ノック体と別体で形成したものであってもよいし、ノック体の前方に固定カム部を一体に形成したものであってもよい。
【発明の効果】
【００１８】
本発明によれば、筆記体の筆記先端部を軸筒の先端開口部から突出させる際のノック操作時に、回転カムのカム突起がカム溝の当接面に衝接することで発生されるノック音を低減することが可能なノック式筆記具を、簡単な構造で得ることができる。
【図面の簡単な説明】
【００１９】
【図１】本実施の形態のノック式筆記具の後方部分で、ペン先部を没入させた状態を示す縦断面図である。
【図２】ペン先部を突出維持させた状態を示す縦断面図である。
【図３】固定カムの要部側面図である。
【図４】回転カムの要部側面図である。
【図５】ペン先部突出動作時におけるカム溝と固定カムと回転カムとの位置関係を示すカム部展開概念図である。
【図６】カム部展開概念図の一部拡大図である。
【図７】従来のノック式筆記具のペン先部突出動作時におけるカム溝と固定カムと回転カムとの位置関係を示すカム部展開概念図である。
【図８】従来のノック式筆記具のペン先部没入動作時におけるカム溝と固定カムと回転カムとの位置関係を示すカム部展開概念図である。
【発明を実施するための形態】
【００２０】
以下に、図面を参照して本実施の形態におけるノック式筆記具を詳細に説明する。
【００２１】
図１は、本実施の形態のノック式筆記具の後方部分で、ペン先部を没入させた状態を示す縦断面図であり、図２は、ペン先部を突出維持させた状態を示す縦断面図であり、図３は、固定カムの要部側面図であり、図４は、回転カムの要部側面図であり、図５は、ペン先部突出動作時におけるカム溝と固定カムと回転カムとの位置関係を示すカム部展開概念図であり、図６は、カム部展開概念図の一部拡大図である。
なお、図面の説明においては、上方（ノック体側）を後方と表現し、下方（ペン先部側）を前方と表現する。
【００２２】
本実施の形態のノック式筆記具は、図１に示すように、軸筒２の後端に開口部を設け、該開口部よりノック体４３を突出させてある。後端を閉塞した円筒状の前記ノック体４３の下方には、図３〜図５に示すように、カム溝の縦溝２１に係合する複数の突起４２を外周面に放射状に配列し、先端に山型状の凹凸部４１を有した固定カム４を一体に設け、突起４２をカム溝の縦溝２１に係合させ該縦溝２１に沿って固定カム４が上下動するようにしてある。
固定カム４の下方には、カム溝の縦溝２１に係合する複数のカム突起５１を外周面に放射状に配列し、固定カム４の凹凸部４１に噛合う噛合部５２を有した回転カム５を、カム突起５１を前記カム溝の縦溝２１に係合させ該縦溝２１に沿って上下動するようにしてある。
図５（ａ）に示すように、収納状態においては、固定カムの突起４２および回転カムのカム突起５１がカム溝の縦溝２１の後方に位置し、前記固定カムの凹凸部４１の頂部４１ａが、噛合部５２の傾斜面５２ａの中間点に位置するようにしてある。
また、図５（ｆ）に示すように、筆記状態においては、カム突起５１と第一カム傾斜面２４との当接部が、固定カムの凹凸部４１の頂部４１ａよりも当接面２５側に位置するようにしてある。
尚、回転カムの前端部には、軸筒内に配したバネ（図示せず）で上方に付勢されたレフィル３が配設され、該回転カムは常時上方へ弾発されている。
【００２３】
次に、図５を用いて、本実施の形態のノック式筆記具のペン先を突出させる状態について詳細に説明する。
図５（ａ）は、ペン先部が軸筒内に没入された収納状態（図１参照）における、カム溝と固定カムと回転カムとの位置関係を示しており、固定カムの突起４２が、カム溝の第一カム壁２２と第二カム壁２３との隙間となる縦溝２１の後方に位置した状態である。
【００２４】
この状態からノック体（図示せず）を前方へ押圧すると、ノック体と一体になった固定カムは縦溝２１に係合した突起４２に導かれて回転することなく前進し、固定カムにより押圧された回転カムは縦溝２１に係合したカム突起５１に導かれて同じように回転することなく前進して図５（ｂ）の状態となる。
回転カムのカム突起５１が縦溝２１の隙間の先端に達して図５（ｃ）のように縦溝２１から離脱すると、固定カムの凹凸部４１の頂部４１ａは、カム突起５１の後端に形成された図において左上がりの噛合部５２の傾斜面５２ａの中間部に位置していることから、回転カムはバネ（図示せず）により後方へ付勢されたレフィルの後端部に弾発され、回転カムにかかる後方への力により、回転カムは図における左側へ回転して図５（ｄ）の状態となる。
【００２５】
このとき、回転カムのカム突起５１は、従来のノック式筆記具と同様に、図において左上がりの第一カム傾斜面２４を摺動するが、本実施の形態では、第一カム傾斜面２４と当接面２５との連設部を、第一カム傾斜面２４を構成する線と当接面２５を構成する線とが半径０．５ｍｍの円の接線を構成するような円弧状に形成してあるため、連設部が第一カム斜面２４を摺動するカム突起５１の速度を減速させる抵抗部２８となり、カム突起５１が図５（ｅ）の位置になったときには回転カムの回転速度が減速することとなり、第一カム斜面２４を越えて当接面２５に当接するカム突起５１の衝接音を防止しながら、図５（ｆ）の状態にすることができた。
図５（ｆ）は、第一カム斜面２４と当接面２５とで構成される係止部２６にカム突起５１が係止された状態であり、回転カムのカム突起５１と係止部２６とで筆記時にレフィルにかかった筆圧を受け止めることができる状態、つまり筆記可能な状態である。
【００２６】
詳述はしないが、図５（ｆ）の状態から、再度ノック体をノック操作することにより、カム突起５１が係止部２６から外れ、回転カムは前記同様に固定カムの凹凸部４１により図における左側へ回転し、カム突起５１がカム溝の縦溝２１を後退し、前述のペン先部が軸筒内に没入された状態に戻る（図５（ａ）収納状態参照）。
【産業上の利用可能性】
【００２７】
本発明は、軸筒内に配したカム溝、固定カム、回転カム、およびノック体とで構成されたノック機構を有した、ボールペンやマーカー等のノック式筆記具や、描画用の固形芯を備えた描画具、修正液等を収容した塗布具、化粧液などを収容したノック式の化粧具等において、ノック操作時に発生するノック音を低減する場合に利用することができる。
【符号の説明】
【００２８】
１…ノック式筆記具、
２…軸筒、２ａ…軸筒後端部、２１…縦溝、２２…第一カム壁、２３…第二カム壁、２４…第一カム傾斜面、２５…当接面、２６…係止部、２７…第二カム傾斜面、２８…抵抗部、
３…レフィル、
４…固定カム、４１…凹凸部、４１ａ…頂部、４２…突起、４３…ノック体、
５…回転カム、５１…カム突起、５２…噛合部、５２ａ…傾斜面
【図１】
2019010827.tif 000003
【図２】
2019010827.tif 000004
【図３】
2019010827.tif 000005
【図４】
2019010827.tif 000006
【図５】
2019010827.tif 000007
【図６】
2019010827.tif 000008
【図７】
2019010827.tif 000009
【図８】
2019010827.tif 000010